(57)【特許請求の範囲】
【請求項１】
ユーザ変更可能なＩＰマルチメディアサブシステム（ＩＭＳ）の、ユーザ装置（ＵＥ）のユーザに関連付けられたサービスルールの制御方法であって、前記サービスルールは拡張マークアップ言語（ＸＭＬ）文書内部において規定され、ＩＭＳネットワーク内部に維持されるものであり、前記方法は、ＵＥによって実行され、
ＩＭＳネットワークのＵｔインターフェースを通じて、ＸＭＬデータ管理サーバ（ＸＤＭＳ）に対し、ユーザに関連付けられたサービスルールをリクエストすることと、
Ｕｔインターフェースを通じて、対応するサービスルールがＵＥのユーザによって変更可能であるかどうかを識別する一又は複数の情報要素を含むＸＭＬ文書又はその断片を受け取ることであって、前記情報要素の少なくとも一つが無条件又は即時ベースサービスルールの少なくとも一つに対応し、前記少なくとも一つの無条件又は即時ベースサービスルールの情報要素は、前記少なくとも一つの無条件又は即時ベースサービスルールへの変更が許可可能であるかどうか、及び／又は許可不能であるかどうかの条件を示す表示を含み、前記表示は、対応するサービスルールがユーザによって変更可能であることを示す第１の値、又は対応するサービスルールがＵＥのユーザによって変更不能であることを示す第２の値を含む、受け取ることと、
前記情報要素、並びに前記少なくとも一つの無条件又は即時ベースサービスルールの前記表示を解釈し、前記対応するサービスルールがＵＥのユーザによって変更可能かどうかを、ＵＥ上でユーザに表示することと、
ＵＥのユーザに関連付けられたサービスルールへの変更を含む、ユーザが規定したサービスルール情報を受け取ることと、
Ｕｔインターフェースを通じてＸＤＭＳに、ＵＥのユーザに関連付けられたサービスルールの更新にＩＭＳネットワークにより使用されるユーザ規定サービスルール情報を送信することと
を含む方法。
【請求項２】
ユーザ変更可能なＩＰマルチメディアサブシステム（ＩＭＳ）の、ユーザ装置（ＵＥ）のユーザに関連付けられたサービスルールの制御方法であって、前記サービスルールは拡張マークアップ言語（ＸＭＬ）文書内部において規定され、ＩＭＳネットワーク内部に維持されるものであり、前記方法は、ユーザを代理するウェブポータルを提供するウェブサーバによって実行され、
ＩＭＳネットワークのＵｔインターフェースを通じて、ＸＭＬデータ管理サーバ（ＸＤＭＳ）に対し、ユーザに関連付けられたサービスルールをリクエストすることと、
Ｕｔインターフェースを通じて、対応するサービスルールがＵＥのユーザによって変更可能であるかどうかを識別する一又は複数の情報要素を含むＸＭＬ文書又はその断片を受け取ることであって、前記情報要素の少なくとも一つが無条件又は即時ベースサービスルールの少なくとも一つに対応し、前記少なくとも一つの無条件又は即時ベースサービスルールの情報要素は、前記少なくとも一つの無条件又は即時ベースサービスルールへの変更が許可可能であるかどうか、及び／又は許可不能であるかどうかの条件を示す表示を含み、前記表示は、対応するサービスルールがユーザによって変更可能であることを示す第１の値、又は対応するサービスルールがＵＥのユーザによって変更不能であることを示す第２の値を含む、受け取ることと、
前記情報要素、並びに前記少なくとも一つの無条件又は即時ベースサービスルールの前記表示を解釈し、前記対応するサービスルールがＵＥのユーザによって変更可能かどうかを、ＵＥ上でユーザに表示することと、
ＵＥのユーザに関連付けられたサービスルールへの変更を含む、ユーザが規定したサービスルール情報を受け取ることと、
ＵｔインターフェースＸＤＭＳに、ＵＥのユーザに関連付けられたサービスルールの更新にＩＭＳネットワークにより使用されるユーザ規定サービスルール情報を送信することと
を含む方法。
【請求項３】
前記一又は複数のサービスルールの前記情報要素は、対応するサービスルールへのＵＥのユーザによる変更が許可されるかどうか及び／又は許可されないかどうかの条件を示す、請求項１又は２に記載の方法。
【請求項４】
前記サービスルールに関連付けられた前記情報要素は、対応するサービスルールがＵＥのユーザによって変更可能であるかどうかの表示を含む、請求項１から３のいずれか一項に記載の方法。
【請求項５】
対応するサービスルールが変更可能であるかどうかの表示はさらに、対応するサービスルールがＵＥのユーザによって変更可能であることを示す第１の値を有するフラグ、又は対応するサービスルールがＵＥのユーザによって変更不能であることを示す第２の値を有するフラグを含む、請求項４に記載の方法。
【請求項６】
変更不能な無条件又は即時ベースサービスルールに関連付けられた変更を含むユーザ規定サービス情報の一部が、ＵＥのユーザによって許可されていないことを、ユーザに通知することをさらに含む、請求項１から５のいずれか一項に記載の方法。
【請求項７】
ユーザ規定サービスルール情報を確認して、関連付けられたサービスルールへの許可可能な変更を決定するステップと、
Ｕｔインターフェースを通じてＸＤＭＳに、ユーザに関連付けられたサービスルールの更新にＩＭＳネットワークにより使用される、許可可能なユーザ規定サービスルール情報を送信するステップと
をさらに含む、請求項１から６のいずれか一項に記載の方法。
【請求項８】
ユーザ変更可能なＩＰマルチメディアサービスシステム（ＩＭＳ）の、ユーザ装置（ＵＥ）のユーザに関連付けられたサービスルールの制御方法であって、前記サービスルールは拡張マークアップ言語（ＸＭＬ）文書内部において規定され、ＩＭＳネットワーク内部に維持されるものであり、前記方法は、ＸＭＬデータ管理サーバ（ＸＤＭＳ）によって実行され、
ＩＭＳネットワークのＵｔインターフェースを通じて、ユーザに関連付けられたサービスルールのリクエストを受け取ることと、
Ｕｔインターフェースを通じて、対応するサービスルールがＵＥのユーザによって変更可能であるかどうかを識別する一又は複数の情報要素を含むＸＭＬ文書又はその断片を送信することであって、前記情報要素の少なくとも一つが無条件又は即時ベースサービスルールの少なくとも一つに対応し、前記少なくとも一つの無条件又は即時ベースサービスルールの情報要素は、前記少なくとも一つの無条件又は即時ベースサービスルールへの変更が許可可能であるかどうか、及び／又は許可不能であるかどうかの条件を示す表示を含み、前記表示は、対応するサービスルールがＵＥのユーザによって変更可能であることを示す第１の値、又は対応するサービスルールがＵＥのユーザによって変更不能であることを示す第２の値を含む、送信することと、
ＸＭＬ文書又はその断片の送信に応答して、ＵＥのユーザに関連付けられたサービスルールへの変更を含むユーザ規定サービスルール情報を受け取ることと、
ユーザ規定サービスルール情報を確認して、関連付けられたサービスルールへの許可可能な変更を決定することと、
許可可能なユーザ規定サービスルール情報に基づいてサービスルールを更新することと
を含む方法。
【請求項９】
前記一又は複数のサービスルールの前記情報要素は、対応するサービスルールへの変更が許可されているかどうか及び／又は許可されていないかどうかの条件を示す、請求項８に記載の方法。
【請求項１０】
前記サービスルールに関連付けられた情報要素は、対応するサービスルールが変更可能であるかどうかの表示を含む、請求項８又は９に記載の方法。
【請求項１１】
対応するサービスルールが変更可能であるかどうかの表示はさらに、対応するサービスルールが変更可能であることを示す第１の値を有するフラグ、又は対応するサービスルールが変更不能であることを示す第２の値を有するフラグを含む、請求項１０に記載の方法。
【請求項１２】
変更不能な無条件又は即時ベースサービスルールに関連付けられたユーザ規定サービス情報の一部が許可されないという通知を、ユーザに対して送信することをさらに含む、請求項８から１１のいずれか一項に記載の方法。
【請求項１３】
ＸＤＭＳはＵＥと通信する、請求項８から１２のいずれか一項に記載の方法。
【請求項１４】
ＸＤＭＳは、ユーザを代理するウェブポータルを提供するウェブサーバと通信する、請求項８から１２のいずれか一項に記載の方法。
【請求項１５】
サービスルールを更新するステップは、ユーザ規定サービスルール情報に関連付けられたサービスルールへの変更を反映するようにＸＭＬ文書を更新することをさらに含む、請求項８から１２のいずれか一項に記載の方法。
【請求項１６】
ユーザ変更可能なＩＰマルチメディアサブシステム（ＩＭＳ）の、ユーザに関連付けられたサービスルールを制御するためのユーザ装置として動作するように設定された装置であって、前記サービスルールは拡張マークアップ言語（ＸＭＬ）文書内部において規定され、ＩＭＳネットワーク内部に維持されるもので、前記装置は、受信機、送信機、処理ユニット、及びメモリユニットを備え、前記処理ユニットは前記受信機、前記送信機、及び前記メモリユニットに結合されており、
前記送信機は、ＩＭＳネットワークのＵｔインターフェースを通じて、ユーザに関連付けられたサービスルールをＸＭＬデータ管理サーバ（ＸＤＭＳ）に対してリクエストするように設定されており、
前記受信機は、Ｕｔインターフェースを通じて、対応するサービスルールがユーザによって変更可能であるかどうかを識別する一又は複数の情報要素を含むＸＭＬ文書又はその断片を受け取るように設定されており、前記情報要素の少なくとも一つは無条件又は即時ベースサービスルールの少なくとも一つに対応しており、前記少なくとも一つの無条件又は即時ベースサービスルールの情報要素は、前記少なくとも一つの無条件又は即時ベースサービスルールへの変更が許可されるかどうか、及び／又は許可されないかどうかの条件を示す表示を含み、前記表示は、対応するサービスルールがユーザによって変更可能であることを示す第１の値、又は対応するサービスルールがユーザによって変更不能であることを示す第２の値を含み、
前記処理ユニットは、
前記情報要素、並びに前記少なくとも一つの無条件又は即時ベースサービスルールの前記表示を解釈し、前記対応するサービスルールがユーザによって変更可能かどうかをユーザに表示し、
ユーザに関連付けられたサービスルールへの変更を示すユーザ規定サービスルール情報を受け取る
ように設定されており、
前記送信機は、Ｕｔインターフェースを通じてＸＤＭＳに、ユーザに関連付けられたサービスルールのＩＭＳネットワークによる更新に使用されるユーザ規定サービスルール情報を送信するように設定されている、
装置。
【請求項１７】
前記処理ユニットはさらに、ユーザ規定サービスルール情報を確認して、関連付けられたサービスルールへの許可可能な変更を決定するように設定されており、
前記送信機はさらに、Ｕｔインターフェースを通じてＸＤＭＳに、ユーザに関連付けられたサービスルールの更新にＩＭＳネットワークにより使用されるユーザ規定サービスルール情報の許可可能な部分を送信するように設定されている、
請求項１６に記載の装置。
【請求項１８】
ユーザ変更可能なＩＰマルチメディアサブシステム（ＩＭＳ）の、ユーザ装置（ＵＥ）のユーザに関連付けられたサービスルールを制御するためのウェブポータルを提供するウェブサーバとして動作するように設定された装置であって、前記サービスルールは拡張マークアップ言語（ＸＭＬ）文書内部において規定され、ＩＭＳネットワーク内部に維持されるもので、前記装置は、受信機、送信機、処理ユニット、及びメモリユニットを備えており、
前記送信機は、ＩＭＳネットワークのＵｔインターフェースを通じて、ユーザに関連付けられた一又は複数のサービスルールをＸＭＬデータ管理サーバ（ＸＤＭＳ）に対してリクエストするように設定されており、
前記受信機は、Ｕｔインターフェースを通じて、対応するサービスルールがＵＥのユーザによって変更可能であるかどうかを識別する一又は複数の情報要素を含むＸＭＬ文書又はその断片を受け取るように設定されており、前記情報要素の少なくとも一つが無条件又は即時ベースサービスルールの少なくとも一つに対応しており、前記少なくとも一つの無条件又は即時ベースサービスルールの情報要素は、前記少なくとも一つの無条件又は即時ベースサービスルールへの変更が許可されるかどうか、及び／又は許可されないかどうかの条件を示す表示を含み、前記表示は、対応するサービスルールがＵＥのユーザによって変更可能であることを示す第１の値、又は対応するサービスルールがＵＥのユーザによって変更不能であることを示す第２の値を含み、
前記処理ユニットは、前記情報要素、並びに前記少なくとも一つの無条件又は即時ベースサービスルールの前記表示を解釈し、前記対応するサービスルールがＵＥのユーザによって変更可能かどうかをユーザに表示するように設定されており、
前記処理ユニットはさらに、ユーザに関連付けられたサービスルールへの変更を含むユーザ規定サービスルール情報を受け取るように設定されており、
前記送信機はさらに、Ｕｔインターフェースを通じてＸＤＭＳに、ＵＥのユーザに関連付けられたサービスルールの更新にＩＭＳネットワークにより使用されるユーザ規定サービスルール情報を送信するように設定されている、
装置。
【請求項１９】
前記処理ユニットはさらに、ユーザ規定サービスルール情報を確認して、関連付けられたサービスルールへの許可可能な変更を決定するように設定されており、
前記送信機はさらに、Ｕｔインターフェースを通じてＸＤＭＳに、ユーザに関連付けられたサービスルールの更新にＩＭＳネットワークにより使用されるユーザ規定サービスルール情報の許可可能な部分を送信するように設定されている、
請求項１８に記載の装置。
【請求項２０】
ＩＰメディアサブシステム（ＩＭＳ）ネットワーク内部において、拡張マークアップ言語（ＸＭＬ）データ管理サーバ（ＸＤＭＳ）として動作するように設定された装置であって、ユーザ装置（ＵＥ）のユーザに関連付けられたＩＭＳサービスルールを規定するＸＭＬ文書の管理に使用されるように構成されており、前記ＸＭＬ文書又はその断片は、対応するサービスルールがＵＥのユーザによって変更可能であるかどうかを識別する一又は複数の情報要素を含んでおり、前記情報要素の少なくとも一つは無条件又は即時ベースサービスルールの少なくとも一つに対応しており、前記少なくとも一つの無条件又は即時ベースサービスルールの情報要素は、前記少なくとも一つの無条件又は即時ベースサービスルールへの変更が許可されるかどうか、及び／又は許可されないかどうかの条件を示す表示を含み、前記表示は、対応するサービスルールがＵＥのユーザによって変更可能であることを示す第１の値、又は対応するサービスルールがＵＥのユーザによって変更不能であることを示す第２の値を含み、前記装置はさらに、ユーザ規定サービスルール情報に基づいて、前記文書内部に包含されるサービスルールの変更に対するユーザリクエストを受け入れるか又は拒否するように構成されている、装置。
【請求項２１】
ＩＭＳネットワークのＵｔインターフェースを通じて、ＵＥのユーザに関連付けられたサービスルールのリクエストを受け取り、
Ｕｔインターフェースを通じて、対応するサービスルールがユーザによって変更可能であるかどうかを識別する一又は複数の情報要素であって、うち少なくとも一つが無条件又は即時ベースサービスルールの少なくとも一つに対応する一又は複数の情報要素を含むＸＭＬ文書又はその断片を送信し、
前記ＸＭＬ文書又はその断片の送信に応答して、ＵＥのユーザに関連付けられたサービスルールへの変更を含むユーザ規定サービスルール情報を受け取り、
ユーザ規定サービスルール情報を確認して、関連付けられたサービスルールへの許可可能な変更を決定し、
許可可能なユーザ規定サービスルール情報に基づいてサービスルールを更新する
ように設定されている、請求項２０に記載の装置。
【請求項２２】
さらに、変更不能な無条件又は即時ベースサービスルールの少なくとも一つに関連付けられたユーザ規定サービスルール情報の少なくとも一部が許可されないという通知を、ユーザに送信するように設定されている、請求項２１に記載の装置。
【発明の詳細な説明】
【技術分野】
【０００１】
本発明は、ＩＰマルチメディアサブシステムサービスの構成に関し、特に、Ｕｔインターフェース上でのユーザによるサービスルールを使用したそのようなサービスの構成に関するものである。このサービスルールは無条件及び／又は即時のサービス能力に基づいている。
【背景技術】
【０００２】
ＩＰマルチメディアサービスは、同じセッション内で音声、映像、メッセージ送信、データなどの動的な組み合わせを提供する。組み合わせ可能な基本的アプリケーションおよびメディアの数を増やすことにより、末端加入者に提供されるサービスの数が増え、対人コミュニケーションの経験が豊かになってゆく。これにより、いわゆる「組み合わせＩＰマルチメディア」サービスを含む個人用の豊かなマルチメディアコミュニケーションサービスの新世代が導かれる。
【０００３】
ＩＰマルティメディアサブシステム（ＩＭＳ）は、移動通信ネットワーク上にＩＰマルチメディアサービスを提供する３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）及びＥＴＳＩ  ＴＩＳＰＡＮグループにより規定された技術である。ＩＭＳは、標準のＩＭＳサービスイネーブラの使用により、末端加入者の個人対個人のコミュニケーション経験を豊かにする重要な特長を提供し、これにより、ＩＰベースネットワークを介した新規の豊かな個人対個人（クライアント対クライアント）のコミュニケーションサービス、並びに個人対コンテンツ（クライアント対サーバ）のサービスが容易になる。ＩＭＳは、セッション初期化プロトコル（ＳＩＰ）を利用して、加入者端末（又は加入者端末及びアプリケーションサーバ）間の呼び出し又はセッションを設定及び制御する。ＳＤＰ（Ｓｅｓｓｉｏｎ  Ｄｅｓｃｒｉｐｔｉｏｎ  Ｐｒｏｔｏｃｏｌ  ）は、ＳＩＰ信号により伝送され、セッションのメディアコンポーネントの記述及び交渉に使用される。ＳＩＰが加入者対加入者プロトコルとして生成される一方、ＩＭＳは、オペレータ及びサービスプロバイダが加入者のサービスへのアクセスを制御し、それに従って加入者に課金することを可能にする。
【０００４】
図１は、例として、ＧＰＲＳ／ＰＳアクセスネットワークの場合、携帯電話ネットワークアーキテクチャにＩＭＳがどのように適合するかを概略的に示している（言うまでもなく、ＩＭＳは他のアクセスネットワーク上で動作することができる）。呼／セッション制御機能（ＣＳＣＦ）は、ＩＭＳ内部でのＳＩＰプロキシとして動作する。３ＧＰＰアーキテクチャは、三種類のＣＳＣＦ、すなわち、ＳＩＰ端末のＩＭＳ内部における第１の接点であるＰ−ＣＳＣＦ（Ｐｒｏｘｙ  ＣＳＣＦ）と、加入者が加入しているサービスを加入者に提供するＳ−ＣＳＣＦ（Ｓｅｒｖｉｎｇ  ＣＳＣＦ）と、正しいＳ−ＣＳＣＦを識別し、そのＳ−ＣＳＣＦに対し、Ｐ−ＣＳＣＦを介してＳＩＰ端末から受け取ったリクエストを転送する役割を担うＩ−ＣＳＣＦ（Ｉｎｔｅｒｒｏｇａｔｉｎｇ  ＣＳＣＦ）を規定している。
【０００５】
ＩＭＳサービスネットワーク内部において、アプリケーションサーバ（ＡＳ）はＩＭＳサービス機能の実施を行う。ＡＳは、ＩＭＳシステムのエンドユーザにサービスを提供し、３ＧＰＰが規定するＭｒインターフェース上のエンドポイントとして接続されるか、又は３ＧＰＰが規定するＩＳＣインターフェース上においてＳ−ＣＳＣＦにより「リンクイン」される。Ｓ−ＣＳＣＦにより「リンクイン」される場合、Ｓ−ＣＳＣＦによりＩＦＣ（Ｉｎｉｔｉａｌ  Ｆｉｌｔｅｒ  Ｃｒｉｔｅｒｉａ）が使用されて、ＳＩＰセッション確立の間に（或いは、セッションに関連しているかしていないかに関係なく、実際にはすべてのＳＩＰ方法において）、どのＡｓを「リンクイン」させるべきかが決定される。Ｓ−ＣＳＣＦはＩＭＳ登録手続きの間にユーザ又は加入者の加入者プロファイルの一部としてＨＳＳからＩＦＣを受け取る。
【０００６】
Ｕｔインターフェース（或いは、正確には「基準点」）は、ＡＳとユーザ装置（ＵＥ）との間に規定されている（例えば、３ＧＰＰ技術仕様書２３．００２）。Ｕｔインターフェースにより、ユーザは、自分自身のサービス、例えば、ＰＳＩ（Ｐｕｂｌｉｃ  Ｓｅｒｖｉｃｅ  Ｉｄｅｎｔｉｔｙ）の作成と割り当て、プレゼンスサービスなどにより使用される認証ポリシーの管理、カンファレンスポリシー管理などに関連する情報を管理することができる。Ｕｔインターフェースは、特に、ＡＳに関連付けられて特定のサービスがどのようにユーザに提供されるかを規定する拡張マークアップ言語（ＸＭＬ）データの、当該ユーザによる操作を可能にする。ＸＭＬ文書は、典型的にはＡＳと同じ場所に配置されるＸＭＬ文書管理サーバ（ＸＤＭＳ）により扱われる。使用時、ＸＤＭＳはサービスデータをホーム加入サーバ（ＨＳＳ）中に（透過的データとして）格納し、次いでこのデータはＡＳによってサービス呼び出しの際に取り出される。
【０００７】
ＵＥは、コミュニケーションに使用される任意のデバイスを含むか、又は表す。記載されるネットワークの特定の実施形態において使用されるＵＥの例は、携帯電話、端末、スマートフォン、ラップトップのようなポータブルコンピューティング装置、携帯端末、タブレット、ノートブックコンピュータ、パーソナル携帯情報機器、及びその他無線通信装置といったワイヤレス機器、或いは電話機、デスクトップコンピュータのようなコンピューティング装置、セットトップボックス、及び他の固定通信装置のような有線通信装置である。
【０００８】
ＥＴＳＩ  ＴＩＳＰＡＮは、Ｕｔインターフェース上での使用にＩＥＴＦ  ＲＦＣ４８２５に規定されるＸＣＡＰ（ＸＭＬ  Ｃｏｎｆｉｇｕｒａｔｉｏｎ  Ａｃｃｅｓｓ  Ｐｒｏｔｏｃｏｌ）を採用しており、これにより、ＸＤＭＳを介してＨＳＳに格納されているＸＭＬデータに働きかけるための、ｈｔｔｐメソッド（すなわち、ＧＥＴ、ＰＵＴ、及びＤＥＬＥＴＥ）の使用が容易になっている。ＥＴＳＩ  １８３  ０２３は、次世代ネットワーク（ＮＧＮ）内部において提供される特にＰＳＴＮ／ＩＳＤＮシミュレーションサービスに関連するデータを操作するための、洗練されたＸＣＡＰプロトコルを提示する。このようなサービスには、例えば、ボイスメール、着信転送、着信拒否（ｃａｌｌ  ｂａｒｒｉｎｇ）などが含まれ、各サービスは、ユーザＸＭＬ文書に組み込むためのＸＭＬテンプレートを表すＸＭＬ「スキーマ」により標準内で規定されている。
【０００９】
顧客サービス及び設定を規定するＸＭＬ文書は、ＸＤＭＳにより扱われる。いわゆる「Ｓｈ」インターフェースは、ＸＤＭＳがＨＳＳと通信することを可能にする。ネットワークオペレータは、規格化されたＸＭＬスキーマに基づいてユーザ毎に、インストールされたＸＭＬデータをＸＤＭＳを介して後で修正するため、ＨＳＳに、事前設定されたＸＭＬデータを初期インストールする。これに加えて、管理ネットワークは、ユーザが自分自身に関連するＸＭＬ文書を編集できるようにするメカニズムを提供する。この目的のために、ＵＥ内部に及び／又はウェブポータルを提供するウェブサーバ内部にＵｔクライアントをインストールすることができる。上述のように、Ｕｔクライアントは、ＸＣＡＰプロトコルを使用して、ユーザに関連付けられたＸＭＬ文書（文書全体又はその断片）を取り出し、修正する。ＸＤＭＳは、ＵＥ又はウェブポータルを提供するウェブサーバを介したユーザからの取り出しリクエストに応答してＨＳＳから関連ＸＭＬデータを取得し、Ｕｔインターフェースを通じてＵＥ又はウェブポータルを提供するウェブサーバを介してこれをユーザに配信することが理解されよう。
【００１０】
Ｕｔクライアントは、Ｕｔインターフェースを通じてＸＤＭＳにＸＣＡＰ  ＧＥＴリクエストを送ることにより、ＸＤＭＳからユーザのために格納データを取ってくる。Ａｇｇｒｅｇａｔｉｏｎ  Ｐｒｏｘｙは、これらリクエストを認証するために使用される。ＸＤＭＳは、Ｓｈインターフェースを通じてＨＳＳからデータを取ってきて、それをＵｔ応答メッセージに含めてＵｔクライアントに送り返す。Ｕｔクライアントは、ユーザに対して情報及びオプションを表示する。ＸＤＭＳは、ユーザによるＸＭＬデータの変更リクエストを許可及び拒絶することができるが、現在の規定による関連の規格は、無条件又は即時ベースサービスルールに関連する情報を含むためのメカニズム、又はこれら種類のサービスルールをユーザがさらに変更することを制限するメカニズムを何も持たない。ユーザは、自分自身のサービスセットに関連するＸＭＬ文書をＵＥ又はウェブポータルを提供するウェブサーバにダウンロードすることができ、ＵＥ又はウェブポータルを提供するウェブサーバは、ＸＤＭＳが実際にユーザからのサービス設定及び／又は関連サービスルールの変更リクエストを受け入れるか否かに関係なく、すべてのサービス設定を表示することによりサービスセットをユーザに提供する。このようなアプローチはユーザにとって必然的に不快で混乱したものになる。
【発明の概要】
【００１１】
上述の問題に対処又は解決するために、ＸＭＬ文書構造（すなわち規格化されたスキーマ）に、無条件及び即時型サービスルールといったユーザによる変更が許可されるサービスルールを識別する一又は複数の情報要素を導入することが提案される。このような要素は、ＵＥ又はユーザを代理するウェブポータルを提供するウェブサーバにより解釈され、サービスルールが変更可能なものであるかどうかを示す表示がＵＥ又はウェブポータルを提供するウェブサーバによってユーザに対して表示される。ＵＥ又はウェブポータルを提供するウェブサーバによって変更可能又は不能と識別される、新規サービスルールに関連する新規情報要素も含めることができる。例えば、オペレータが無条件及び即時型サービスルールに関連する情報要素を規定して変更可能又は不能に設定し、ユーザ、ＵＥ、又はウェブポータルを提供するウェブサーバに対し、許可可能／許可されない条件及びサービスルールについて通知することができる。
【００１２】
本発明の第１の態様によれば、ユーザに関連付けられたユーザ変更可能なＩＭＳサービスルールを制御する方法が提供される。サービスルールはＸＭＬ文書内部において規定されて、ＩＭＳネットワーク内部に維持される。方法は、ＩＭＳネットワークのＵｔインターフェース上で、ユーザに関連付けられたサービスルール情報をＸＤＭＳサーバに対してリクエストすることを含む。ＸＭＬ文書又はその断片がＵｔインターフェース上で受け取られる。ＸＭＬ文書又はその断片には、対応するサービスルールがユーザによって変更可能かどうかを識別する一又は複数の情報要素が含まれる。情報要素の少なくとも一つは、無条件又は即時ベースサービスルールの少なくとも一つに対応する。情報要素が解釈されて、対応するサービスルールが変更可能かどうかに関連する表示がユーザに提示される。これに応答して、ユーザが規定したサービスルール情報が受け取られる。このユーザ規定サービスルール情報には、ユーザに関連付けられたサービスルールへの変更が含まれる。ユーザ規定サービスルール情報は、Ｕｔインターフェース上でＸＤＭＳサーバに送信され、ＩＭＳネットワークによりユーザのサービスルール更新に使用される。
【００１３】
本発明の第２の態様によれば、ＸＤＭＳサーバによって実行される、ユーザに関連付けられたユーザ変更可能なＩＭＳサービスルールを制御する方法が提供される。サービスルールはＸＭＬ文書内部において規定されて、ＩＭＳネットワーク内部に維持される。ＸＤＭＳサーバは、ＩＭＳネットワークのＵｔインターフェース上で、ユーザに関連付けられたサービスルールに対するリクエストを受け取る。ＸＤＭＳサーバは、Ｕｔインターフェース上で、対応するサービスルールがユーザによって変更可能かどうかを識別する一又は複数の情報要素を含むＸＭＬ文書又はその断片を送信する。情報要素の少なくとも一つは、無条件又は即時ベースサービスルールの少なくとも一つに対応する。ＸＤＭＳサーバは、ユーザが規定したサービスルール情報を受け取る。このユーザ規定サービスルール情報には、ユーザに関連付けられたサービスルールに対応する変更が含まれる。ＸＤＭＳサーバは、ユーザ規定サービスルール情報に関連付けられたサービスルールを確認し、サービスルールへの許可可能な変更を決定する。確認後、ＸＤＭＳサーバはユーザに関連付けられたサービスルールを更新する。
【００１４】
一選択肢として、ユーザ規定サービスルール情報は、ユーザによって規定された新規サービスルールを含む。ユーザ規定サービスルール情報は、ユーザに関連付けられた変更可能なサービスルールに対する変更を表すデータを含んでもよい。ユーザ規定サービスルール情報は、無条件又は即時型サービスルール、或いは新規の無条件又は即時型サービスルールに基づくサービスルール情報を含んでもよい。これに加えて、又は代えて、ユーザ規定サービスルール情報は、変更可能なサービスルール又は新規サービスルールに関連付けられた、ユーザが規定した一又は複数の情報要素を含む。
【００１５】
オプションとして、情報要素は、対応するサービスルールへの変更が許可される及び／又は許可されないかどうかの条件を示す。加えて、少なくとも一つの無条件又は即時型サービスルールに基づく少なくとも一つの情報要素は、対応するサービスルールが変更可能か否かの表示を含む。一選択肢として、対応するサービスルールが変更可能か否かの表示は、対応するサービスルールが変更可能である場合は真の、対応するサービスルールが変更不能である場合は偽の値を有するフラグを含むことができる。
【００１６】
一選択肢として、方法は、変更不能なサービスルールに関連付けられた、或いは変更不能な無条件又は即時型サービスルールに関連付けられた、ユーザ規定サービスルール情報の少なくとも一部が許可されないことを、ユーザに対して通知することを含むことができる。ＸＤＭＳサーバは、変更不能な無条件又は即時ベースサービスルールに関連付けられた、ユーザが規定した情報要素が許可されないという通知を、ユーザに送信することができる。
【００１７】
一選択肢として、方法は、ＵＥにより、或いはユーザ又はユーザのＵＥを代理するウェブポータルを提供するウェブサーバにより、実行されてもよい。加えて、方法は、ユーザ規定サービスルール情報、又はユーザ規定情報要素を確認し、ユーザに関連付けられたサービスルールに対する許可可能な変更を決定するユーザ装置又はウェブポータルを提供するウェブサーバを含むことができる。さらに、ＵＥ又はウェブポータルを提供するウェブサーバは、許可可能なユーザ規定サービスルール情報をＸＤＭＳサーバに送信することができる。ＸＤＭＳサーバは、ＵＥと通信することができるか、或いはユーザ又はユーザのＵＥを代理するウェブポータルを提供するウェブサーバと通信することができる。
【００１８】
オプションとして、対応するサービスルールが変更可能であるかどうかに関連するユーザへの表示は、サービスルールが変更可能であるかどうかのリスト、変更可能なサービスルールのリスト、並びに／或いは対応するサービスルール又は変更可能なサービスルールに関連するオプションのリストを、ユーザに対して表示することを含む。
【００１９】
本発明の第３の態様によれば、ユーザに関連付けられたユーザ変更可能なＩＭＳサービスルールを制御するためのユーザ端末として動作するように設定された装置が提供される。サービスルールはＸＭＬ文書内部において規定されて、ＩＭＳネットワーク内部に維持される。装置は、受信機、送信機、処理ユニット、及びメモリユニットを含み、処理ユニットは受信機、送信機、及びメモリユニットに結合される。送信機は、ＩＭＳネットワークのＵｔインターフェース上で、ユーザに関連付けられたサービスルールをＸＤＭＳサーバに対してリクエストするように設定される。受信機は、Ｕｔインターフェース上で、対応するサービスルールがユーザによって変更可能かどうかを識別する一又は複数の情報要素を含むＸＭＬ文書又はその断片を受信するように設定される。情報要素の少なくとも一つは、無条件又は即時ベースサービスルールの少なくとも一つに対応する。処理ユニットは、前記情報要素を解釈し、対応するサービスルールが変更可能かどうかに関連する表示をユーザに提示するように設定される。処理ユニットはさらに、ユーザ規定サービスルール情報を受信するように設定される。このユーザ規定サービスルール情報には、ユーザに関連付けられたサービスルールへの変更を表すデータが含まれる。送信機は、Ｕｔインターフェース上で、ユーザ規定サービスルール情報をＸＤＭＳサーバに送信するように設定され、この情報は、ＩＭＳネットワークによりユーザに関連付けられたサービスルールの更新に使用される。
【００２０】
本発明の第４の態様によれば、ユーザに関連付けられたユーザ変更可能なＩＭＳサービスルールを制御するためのウェブポータルを提供するウェブサーバとして動作するように設定された装置が提供される。サービスルールはＸＭＬ文書内部において規定されて、ＩＭＳネットワーク内部に維持される。装置は、受信機、送信機、処理ユニット、及びメモリユニットを含み、処理ユニットは受信機、送信機、及びメモリユニットに結合される。送信機は、ＩＭＳネットワークのＵｔインターフェースを通じて、ユーザに関連付けられたサービスルールをＸＤＭＳサーバに対してリクエストするように設定される。受信機は、Ｕｔインターフェースを通じて、対応するサービスルールがユーザによって変更可能かどうかを識別する一又は複数の情報要素を含むＸＭＬ文書又はその断片を受信するように設定される。情報要素の少なくとも一つは、無条件及び即時ベースサービスルールの少なくとも一つに対応する。処理ユニットは、前記情報要素を解釈し、対応するサービスルールが変更可能かどうかに関連する表示をユーザに提示するように設定される。受信機はさらに、ユーザ規定サービスルール情報を受信するように設定される。このユーザ規定サービスルール情報には、ユーザに関連付けられたサービスルールへの変更を表すデータが含まれる。送信機はさらに、Ｕｔインターフェースを通じて、ユーザ規定サービスルール情報をＸＤＭＳサーバに送信するように設定され、この情報は、ＩＭＳネットワークにより、ユーザに関連付けられたサービスルールの更新に使用される。
【００２１】
一選択肢として、装置はユーザ装置又はウェブポータルを提供するウェブサーバとして動作することができ、ユーザ規定サービスルール情報を確認して、関連するサービスルールへの許可可能な変更を決定するようにさらに設定される。加えて、送信機はさらに、Ｕｔインターフェースを通じて、ユーザ規定サービスルール情報の許可可能な部分をＸＤＭＳサーバに送信するように設定され、この情報は、ＩＭＳネットワークにより、ユーザに関連付けられたサービスルールの更新に使用される。
【００２２】
本発明の第５の態様によれば、ＩＭＳネットワーク内部でＸＤＭＳサーバとして動作するように設定された装置が提供される。装置は、ユーザに関連付けられたＩＭＳサービスルールを規定するＸＭＬ文書の管理に使用されるように構成される。ＸＭＬ文書又はその断片には、対応するサービスルールがユーザによって変更可能かどうかを識別する一又は複数の情報要素が含まれている。情報要素の少なくとも一つは、無条件又は即時ベースサービスルールの少なくとも一つに対応し、装置はさらに、ユーザ規定サービスルール情報に基づいて、ユーザに関連付けられたサービスルールの変更リクエストを受け入れる又は拒否するように構成される。
【００２３】
一選択肢として、装置は、ＩＭＳネットワークのＵｔインターフェース上で、ユーザに関連付けられたサービスルールに対するリクエストを受け取るように設定される。装置はさらに、Ｕｔインターフェース上で、対応するサービスルールがユーザによって変更可能かどうかを識別する一又は複数の情報要素を含むＸＭＬ文書又はその断片を送信するように設定される。情報要素の少なくとも一つは、少なくとも一つの無条件又は即時ベースサービスルールに対応する。装置は、一又は複数の情報要素をユーザに送ることに応答して、ユーザ規定サービスルール情報を受け取る。ユーザ規定サービスルール情報は、ユーザに関連付けられたサービスルールへの変更を含む。装置はさらに、ユーザ規定サービスルール情報を確認し、関連付けられたサービスルールへの許可可能な変更を決定するように設定される。装置は、ユーザ規定サービスルール情報の許可可能な部分に基づいて、サービスルールに対する変更を反映するようにＸＭＬ文書を更新するように設定される。
【００２４】
一選択肢として、装置は、ユーザ又はウェブポータルを提供するウェブサーバに対し、変更不能な無条件ベースサービスルール又は変更不能な即時ベースサービスルールに関連付けられた、ユーザ規定サービスルール情報のある部分は許可されないという通知を送信するように設定される。
【００２５】
本発明の実施形態は、条件、サービスルールの変更、又は新規サービスルールの作成がユーザに許可されているかどうかをオペレータが、ＵＥ、ウェブポータルを提供するウェブサーバ又はユーザに対して通知することを許可する、ルールベースサービスに無条件又は即時の、比較的単純で効率的なメカニズムを提供することができる。単なる例示として、着信転送（ＣＤＩＶ）サービスでは、ユーザがその端末を最初に鳴らすことなくボイスメールを直接転送することを、オペレータが制限しようとする場合があり、これは変更不能な無条件又は即時ベースサービスルールにより規定することができる。しかしながら、３ＧＰＰ  ＴＳ  ２４．６０４に規定されるＣＤＩＶサービス（或いは、これに関する他のあらゆるサービス）は、ｃｏｍｍｕｎｉｃａｔｉｏｎ−ｄｉｖｅｒｓｉｏｎ−ｓｅｒｖ−ｃａｐスキーマにおいて許可される条件及び動作を規定するとき、この可能性を特定しない。
【００２６】
したがって、上述の方法、装置、及びメカニズムは、無条件及び即時ＣＤＩＶサービスルール（及び他のＩＭＳサービスのサービスルール）を認識及び処理することと、それに応じていずれの無条件及び即時ベースサービスルールが変更可能であるか否かをユーザに対して通知することとに使用することができる。
【図面の簡単な説明】
【００２７】
【図１】３Ｇ移動通信システムへのＩＭＳの統合を概略的に示している。
【図２】本発明による、変更可能なサービスルールを示す情報要素を識別するプロセスの一実施例を示す信号フロー図である。
【図３】本発明による、変更可能なサービスルールのための情報要素を識別及び変更するプロセスの一実施例を示すフロー図である。
【図４】本明細書に記載される方法の実施に適したＸＤＭＳの一実施例を概略的に示している。
【図５】本明細書に記載される方法の実施に適したＵＥの一実施例を概略的に示している。
【図６】本明細書に記載される方法の実施に適したウェブポータルを提供するウェブサーバの一実施例を概略的に示す。
【発明を実施するための形態】
【００２８】
上述したように、関連ユーザのサービスを規定するＸＭＬ文書を維持するために、ＸＤＭＳ（ＳＩＰアプリケーションサーバ）が提供されている。ＸＭＬ文書はＨＳＳ内部に格納され、サービス起動時に適切なＳＩＰ  ＡＳによって取り出され、ユーザサブスクリプション（ｓｕｂｓｃｒｉｐｔｉｏｎ）及びネットワークポリシーに従ってＡＳがユーザにサービスを提供することを許可する。一又は複数のユーザ、或いは場合によってはユーザのグループにユーザサブスクリプションを関連付けることができる（例えば、サブスクリプションは、複数のユーザをカバーするグループ数に関連しうる）ことを理解されたい。
【００２９】
例として、ＸＭＬ文書は、各ユーザ、各加入者、又はユーザに関連付けられるサブスクリプションに提供されるＰＳＴＮ／ＩＳＤＮシミュレーションサービスを示す各サブスクリプションについて作成される。利用可能な各シミュレーションサービスは、ＸＭＬ「スキーマ」に従ってＸＭＬ文書内部において示される（このスキーマは関連規格に規定されている）。加えて、ＸＭＬ文書は、サービスに特有のスキーマの各々にインポートされる「共通部分」（やはり規格化された共通部分に従う）セクションを包含しうる。ＸＣＡＰプロトコルは、ユーザのＸＭＬ文書内部の様々なセクションにアクセスしてそれを変更するために、（ＵＥ又はウェブポータルを提供するウェブサーバにおいて）Ｕｔクライアントによって使用される。
【００３０】
上述の問題に対処するために、ＸＭＬ文書構造（すなわち規格化されたスキーマ）に、ユーザのサブスクリプション内部でユーザが変更を許可されるサービスルールを識別する一又は複数の情報要素を導入することが提案される。サービスルールには、一又は複数の条件付きサービスルールと、一又は複数の無条件及び即時ベースサービスルールとが含まれる。このような要素は、ＵＥ又はＵＥを代理するウェブポータルを提供するウェブサーバにより解釈され、サービスルールが変更可能なものであるか否かを示す表示がユーザに対して表示される。
【００３１】
付加サービスは、３ＧＰＰ  ＴＳ  ２２．１７３（Ｖ１１．３．０）及び３ＧＰＰ  ＴＳ  ２４．１７３（Ｖ１１．０．０）に規定されているように、ＩＭＳによってサポートされる。例えば、ＩＭＳによってサポートされる規格化された付加サービスには、限定されないが、発信者番号表示（ＯＩＰ）、発信者番号表示禁止（ＯＩＲ）、接続先番号表示（ＴＩＰ）、接続先番号表示禁止（ＴＩＲ）、着信転送（ＣＤＩＶ）、着信保留（ＨＯＬＤ）、発着信制限（ＣＢ）、メッセージ待機インジケータ（ＭＷＩ）、カンファレンス（ＣＯＮＦ）、特定呼転送（ＥＣＴ）、料金通知（ＡＯＣ）、着信待機（ＣＷ）、フレキシブル警告（Ｆｌｅｘｉｂｌｅ  Ａｌｅｒｔｉｎｇ：ＦＡ）、着信待機（ＣＷ）、カスタマイズされた警告音（Ｃｕｓｔｏｍｉｚｅｄ  Ａｌｅｒｔｉｎｇ  Ｔｏｎｅ：ＣＡＴ）、及びカスタマイズされた呼び出し信号（Ｃｕｓｔｏｍｉｚｅｄ  Ｒｉｎｇｉｎｇ  Ｓｉｇｎａｌ：ＣＲＳ）が含まれる。これら規格化された付加サービスに加えて、ＩＭＳ  ＡＳのベンダーは、付加的なベンダー特有のサービス又はサービスルールを実施するように、ＡＳを設定することができる。このようなベンダー特有のサービスの一例は、フレキシブル着信分配（Ｆｌｅｘｉｂｌｅ  Ｃｏｍｍｕｎｉｃａｔｉｏｎ  Ｄｉｓｔｒｉｂｕｔｉｏｎ）サービスである。
【００３２】
あくまで例として、ＣＤＩＶサービスは、３ＧＰＰ  ＴＳ  ２４．６０４（Ｖ１１．０．０）に規定されているように、外部刺激にＣＤＩＶサービスがどのように反応するかを示すルールセットを包含する。ルールセットには、サービスルールのリストが含まれる。ＣＤＩＶサービスのルールセットは、ユーザが特定の条件を満たす着信を、別の宛先に転送／リダイレクトすることを可能にする。同様に、ＣＢサービスは、３ＧＰＰ  ＴＳ  ２４．６１１（Ｖ１１．０．０）に規定されているように、外部刺激にＣＢサービスがどのように反応するかを示すルールセットを包含する。ＣＢサービスの例として、ユーザの代理として特定の条件を満たす着信を拒否する着信ＣＢ（ＩＣＢ）、不明の発信番号からの着信を制限することを許可する発信番号非通知着信拒否（ＡＣＲ）、及び特定の条件を満たす発信を拒否する発信ＣＢ（ＯＣＢ）が挙げられる。
【００３３】
本明細書では、ユーザ変更可能な、無条件及び即時サービスルールを含めるように、付加サービスのルールセットを拡張することが提案される。これは、オペレータが、ＵＥ又はユーザに、無条件又は即時サービスルール（例えば、無条件又は条件付きＣＤＩＶ、或いはＣＢサービスルール）が許可されているかどうかを知らせることを可能にする一組の新規サービス能力を規定することにより達成される。同じ種類のサービス能力は、ＦＣＤ及び上記に概要を述べたような他のルールベースサービス、或いは未来のルールベースサービスなどにも適用可能である。
【００３４】
無条件サービスルールは、条件のないサービスルールを含む又は表す。例えば、例示のみを目的にＣＤＩＶサービスを使用すると、無条件ＣＤＩＶサービスルールは、着信を無条件に転送するルールに基づくことができ、ユーザ変更可能でも不能でもよく、以下の形態をとることができる：
0005973054.tif 000002
この場合、このＣＤＩＶサービスルールは、常に着信をアシスタント（assistant@myoffice.com）に転送する。
【００３５】
即時サービスルールは、ＳＩＰメッセージ（例えば、ＳＩＰ  ＩＮＶＩＴＥメッセージ）を受信すると「即時に」作動するサービスルールを含む又は表す。即時ルールは少なくとも一つの条件を有しうる。例えば、例示のみを目的にＣＤＩＶサービスを使用すると、ビデオ通話を転送するための即時ＣＤＩＶサービスルールは、ユーザ変更可能でも不能でもよく、以下の形態をとることができる：
0005973054.tif 000003
この場合、すべてのビデオ通話はａｌｉｃｅに転送されるが、非ビデオ通話、例えば純粋な音声通話は転送されない。
【００３６】
ＸＭＬスキーマ及びサービス能力スキーマは、ユーザが変更可能又は不能である無条件及び／又は即時サービスルールを示す付加的情報要素のような拡張を含むように拡張することができる。スキーマは、対応する無条件及び／又は即時サービスルールに関連する無条件及び即時サービス能力を表す情報要素を含むことができる。
【００３７】
ＵＥ又はウェブポータルを提供するウェブサーバは、取り出されたＸＭＬ文書又は文書断片内部に包含された情報要素を解釈し、無条件及び／又は即時サービス能力に基づくサービスルールが変更可能であるかどうかを含め、対応するサービスルールが変更可能であるかどうかに関連する表示をユーザに対して表示するように設定することができる。このような拡張がＸＭＬ文書又はその断片に含まれていない場合、Ｕｔクライアントは次いで、所与のサービスのために利用可能なすべてのオプション／ルールを提示し、拡張（例えば、一又は複数の無条件及び／又は即時サービス能力を表す一又は複数の情報要素）をサポートするＵｔクライアントが、拡張をサポートしないＸＤＭＳと適合することを保証する。拡張は、このような拡張をサポートしないレガシーＵｔクライアントが、拡張をサポートするＸＤＭＳから発信された応答を拒否しないように付加することができる。拡張された情報要素を解釈し、無条件及び／又は即時サービス能力に基づくサービスルールが変更可能であるかどうかをユーザに対して表示するために、レガシーＵＥにウェブポータルを提供するウェブサーバを使用できることに注意されたい。これにより、無条件及び／又は即時ベースサービス能力のような新規サービス能力もしくは新規サービスルールが、ルールの組又はユーザに関連付けられたルールの組に含まれているとき、ＵＥを即時に更新する必要がなくなる。これらは、ＸＭＬ文書又はその断片中に、ＩＭＳネットワークにより含めることができる。Ｕｔクライアントが拡張をサポートせず、サブスクリプションが許可しないサービス能力又はサービスルールを変更しようとする場合、ＸＤＭＳはそのリクエストを確認し、拒否することに注意されたい。
【００３８】
例示のみを目的として、本明細書に記載される方法は、３ＧＰＰ  ＴＳ  ２４．６０４に特定されるＣＤＩＶサービスのようなサービスのサービス能力が、それぞれ無条件及び即時ベースサービスルールに使用される追加的な無条件及び即時サービス能力を規定するように拡張されるとき、実施することができる。例示のみを目的として、現在のＣＤＩＶサービスのＸＭＬスキーマの追加的サービス能力（例えば、既存の２４．６０４＿ｓｅｒｖ＿ｃａｐ＿．ｘｓｄスキーマ）は、ｓｅｒｖ−ｃａｐ−ｕｎｃｏｎｄｉｔｉｏｎａｌ及びｓｅｒｖ−ｃａｐ−ｉｍｍｅｄｉａｔｅ能力を含めることにより拡張することができ、以下の形態をとることができる：
0005973054.tif 000004
【００３９】
このＸＭＬスキーマはサービス能力を規定し、それは一又は複数の情報要素をリストアップすることにより表される（例えば、
0005973054.tif 000005
）。このＸＭＬスキーマでは、ＣＤＩＶサービスの追加的無条件サービス能力を規定する情報要素は、以下の形態をとることができる：
0005973054.tif 000006
【００４０】
ＣＤＩＶサービスのＸＭＬスキーマの追加的無条件サービス能力を規定する情報要素は、以下の形態をとることができる：
0005973054.tif 000007
【００４１】
無条件及び／又は即時サービス能力は、これら能力に基づくサービスルールが、ユーザに関連付けられたサブスクリプションにより必要とされるとき、ＸＭＬ文書又はその断片に含められる。条件付きサービス能力に加えて、無条件及び／又は即時サービス能力は、情報要素により表され、ＸＭＬ文書又はその断片に含められて、ＸＤＭＳによりユーザに送信される。これらは、情報要素のリストの形態で提供され、情報要素のリストには、無条件及び／又は即時サービス能力に基づくサービスルールが変更可能であるか否かの表示が含まれる。
【００４２】
ＸＭＬ文書は、ユーザによる変更が許可されている又は許可されていないサービスの条件及び又は動作をリストアップした一又は複数の情報要素のリストを包含するように、サービスのためのルールの組を規定する。ＵｔクライアントのＵＥ又はウェブポータルを提供するウェブサーバは、無条件及び／又は即時サービス能力を表す追加的情報要素を理解することができ、これらを必要に応じてユーザインターフェースを介してユーザに表示する。例示のみを目的に、上記ＣＤＩＶサービスＸＭＬスキームのために、オペレータは、ＸＭＬ文書又はその断片の情報要素内部にインジケータをセットし、どのサービスルールが変更可能又は不能であるかを表すことができる。一例として、無条件及び／又は即時のサービス能力には、「偽」を表す値にセットされたインジケータが含まれ、これは、これらサービスルール又は能力に関連するサービスルール、条件、又は動作に対する変更が許可されていないことを示し、一方、インジケータを「真」を表す値にセットすることにより、他のすべての条件及び動作に対する変更が許可される。この場合、ＸＭＬ文書又はその断片は、以下の形態をとることができる：
0005973054.tif 000008
0005973054.tif 000009
【００４３】
ＸＭＬ文書又はその断片内の、無条件サービス能力を規定する情報要素は、対応するＣＤＩＶルールのユーザによる変更が許可されないとき、以下の形態をとることができる：
0005973054.tif 000010
無条件サービス能力を規定する情報要素は、「偽」にセットされた値を有するフラグの形態の表示を含み、関連するサービスルールが変更不能であることを示す。
【００４４】
ＸＭＬ文書又はその断片内の、無条件サービス能力を規定する情報要素は、対応するＣＤＩＶルールのユーザによる変更が許可されるとき、以下の形態をとることができる：
0005973054.tif 000011
無条件サービス能力を規定する情報要素は、「真」にセットされた値を有するフラグの形態の表示を含み、関連するサービスルールが変更可能であることを示す。
【００４５】
ＸＭＬ文書又はその断片内の、即時サービス能力を規定する情報要素は、対応するＣＤＩＶルールのユーザによる変更が許可されないとき、以下の形態をとることができる：
0005973054.tif 000012
即時サービス能力を規定する情報要素は、「偽」にセットされた値を有するフラグの形態の表示を含み、関連するサービスルールが変更不能であることを示す。
【００４６】
ＸＭＬ文書又はその断片内の、即時サービス能力を規定する情報要素は、対応するＣＤＩＶルールのユーザによる変更が許可されるとき、以下の形態をとることができる：
0005973054.tif 000013
【００４７】
即時サービス能力を規定する情報要素は、「真」にセットされた値を有するフラグの形態の表示を含み、関連するサービスルールが変更可能であることを示す。
【００４８】
インジケータ又は表示は「真」又は「偽」にセットされた値を有するフラグの形態をとることができるが、このような表示は、関連ルールが変更可能か否か（許可可能か、又は許可されないか）を認識するために使用することができるどのようなデータにより表されてもよいことを理解されたい。例えば、表示は、対応するサービスルールが変更可能であることを示す第１の値と、対応するサービスルールが変更不能であることを示す第２の値とをとることができる。さらなる例として、インジケータはバイナリ数１又は０、或いは文字列「ｏｎ」又は「ｏｆｆ」、「ｙ」又は「ｎ」、「ｂｌｕｅ」又は「ｒｅｄ」、或いは関連ルールがそれぞれ変更可能であるか否かを認識するために使用される他の任意のデータの形態をとることができる。
【００４９】
ＵＥ又はウェブポータルを提供するウェブサーバが、ＸＭＬ文書又はその断片中のこれら情報要素又は追加的サービス能力を認識するように設定されているとき、ＵＥ又はウェブポータルを提供するウェブサーバは次いで、情報要素に対応するサービスルールが変更可能であるか否かをユーザに対して表示することができる。ＵＥ又はウェブポータルを提供するウェブサーバは、対応するサービスルールが変更可能であるかどうかのみに関連する表示を行うように設定され、ユーザが変更不能なサービスルールを不注意で変更することを防ぐことができる。対応するサービスルールが変更可能であるかどうかに関連してユーザに提示される表示は、サービスルールが変更可能であるかどうかのリスト、変更可能なサービスルールのリスト、並びに／或いは、ユーザ変更可能なサービス又はサービスルールに関連する対応するサービスルール又は変更可能なサービスルールに関連するオプションのリストを、ユーザに対して表示することを含む。
【００５０】
例えば、無条件サービスルール（例えば、ＣＦＵ（Ｃａｌｌ  Ｆｏｒｗａｒｄｉｎｇ  Ｕｎｃｏｎｄｉｔｉｏｎａｌ）に基づくサービスルール）のユーザによる使用が許可されていない場合、対応する情報要素は次いで、対応するサービス能力が変更不能であることを示す。これは、ウェブポータルを提供するウェブサーバ又はＵＥのグラフィックユーザインターフェースが無条件サービスルールを設定するためのオプションを提示しないように、ウェブポータルを提供するウェブサーバ又はＵＥにおいて解釈される。代わりに、ウェブポータルを提供するウェブサーバ又はＵＥは、ユーザに対し、メディア、ＩＤ、又は時間の条件に基づいて転送するなどの、ルールに関連する他のオプションを提示してもよい。これは、どの無条件又は即時サービスルール及びそのオプションが変更可能であるかの表示を提示することにより、ＸＤＭＳが、サービスルールを変更すること又はユーザに関連付けられたサービスルールに新規サービスルールを含めることを求めるリクエストを無効にしてしまうことを防ぎ、効率及び顧客満足度を高めることができる。
【００５１】
図２は、変更可能なサービスルール又はサービス能力をユーザに提示すること、並びに変更が存在する場合にそれらを処理することに関連付けられたプロセス２００を示す信号フロー図である。ステップ２０３において、ＵＥ２０１又はウェブポータルを提供するウェブサーバのＵｔクライアントは、Ｕｔインターフェースを通じてＸＤＭＳ２０２に対し、ＧＥＴリクエストメッセージ（例えば、ＸＣＡＰ、ＧＥＴ（serv-cap））を送り、ユーザに関連付けられたサービスルールを表すデータをリクエストする。データは、情報要素によって表されるサービス能力のリストを含むＸＭＬ文書又はその断片として提示される。サービスルールは、ユーザのサブスクリプションに関連付けられた、例えばＣＤＩＶ又はＣＢ付加サービスなどの特定のサービス、一又は複数のサービス或いはすべてのサービスについてリクエストすることができる。このような情報は、そのユーザに適用されるサービスルールの組と、それに対応してリクエストされるサービス（例えば、ＣＤＩＶ、或いはＣＢ付加サービスなど）に関連するＸＭＬ文書又はその断片の形態をとる。
【００５２】
ＧＥＴリクエストメッセージを受け取ると、ＸＤＭＳ２０２は、ＸＭＬ文書又はその断片の形態の関連サービスルール情報を取り出す。ＸＤＭＳは、Ｓｈインターフェースを通じてＨＳＳからＸＭＬ文書又はその断片を取得することができる。ステップ２０４では、ＸＤＭＳ２０２は、ＵＥ又はウェブポータルを提供するウェブサーバ２０１に対し、ＸＭＬ文書又はその断片を含む応答メッセージ（例えば、２００  ＯＫ）を送信する。ＸＭＬ文書又はその断片には、ユーザに関連付けられたサービスルール（例えば、サービス能力、条件、及び動作）、及び／又はリクエストされたサービスに対応する一又は複数の情報要素が含まれる。
【００５３】
ＵＥ又はウェブポータルを提供するウェブサーバ２０１は、ＸＭＬ文書又はその断片を受信すると、ステップ２０５において、ＸＭＬ文書内部に情報要素を提供（解釈）し、ユーザに対し、ユーザによって変更可能な条件、サービスルール情報、オプション、及び／又は動作を表示する。ＵＥ又はウェブポータルを提供するウェブサーバ２０１が無条件及び／又は即時サービス能力に関連する情報要素を解釈できる場合、これらに関連付けられたサービスルール、条件、オプション、又は動作は、これら情報要素に基づいてサービスルールのユーザによる変更が許可されている場合は変更可能として、これら要素に基づいてサービスルールのユーザによる変更が許可されていない場合は変更不能として、表示される。代替的に、ＵＥ又はウェブポータルを提供するウェブサーバは、ユーザが使用及び／又は変更を許可されたオプション又はサービスルールだけを提示してもよく、この場合許可されていないオプション又はサービスルールは、例えば、全く示されない、グレー表示される、又は選択不能である。
【００５４】
ＵＥ又はウェブポータルを提供するウェブサーバ２０１がレガシーシステムであり、無条件及び／又は即時サービス能力に基づく情報要素を解釈できない場合、これら能力に関連付けられたサービスルール、条件、オプション、又は動作は、対応するサービスルールのユーザによる変更が許可されているかどうかに関わらず、変更可能と表示される。これは後方互換性を可能にする。無条件及び／又は即時サービス能力（例えば、ｓｅｒｖ−ｃａｐ−ｕｎｃｏｎｄｉｔｉｏｎａｌ  ａｎｄ／ｏｒ  ｓｅｒｖ−ｃａｐ−ｉｍｍｅｄｉａｔｅ）がＸＭＬ文書又はその断片に含まれていない場合、ＵＥ又はウェブポータルを提供するウェブサーバ２０１は、関連サービスルール、オプション、又は動作の変更が許可されていることを示しうる。
【００５５】
ユーザは、変更可能なサービスルール、オプション、条件、動作、又はサービス能力を識別して、これらの変更を選択するか、又は新規サービスルール、条件、オプション、動作などを加えることができる。ユーザがサービスルールの変更又は新規サービスルールの追加を望む場合、ＵＥ又はウェブポータルを提供するウェブサーバは、ユーザからサービスルールに対する様々な変更を表すデータを受け取ることができる。このような変更は、ＵＥ又はウェブポータルを提供するウェブサーバによって生成されて、ユーザ規定サービスルール情報を形成する。このサービスルール情報には、ユーザに関連付けられたサービスルール又はサービスルールの組に対し、ユーザが行った変更、追加、又は挿入を表すデータが含まれる。これは、新規サービスルール又は新規オプション、一又は複数のサービスルールに関連付けられた条件又は動作、或いは、一又は複数のサービスルール、又は変更されたサービスルールに関連付けられた、ユーザが定義した情報要素などの形態とすることができる。
【００５６】
一例として、ビデオ通話を転送するための上記即時ＣＤＩＶサービスルール（ビデオ通話はａｌｉｃｅに転送される）が変更可能なサービスルールとしてユーザに表示されている。これは、ＸＭＬ文書又はその断片中において、このサービスルールに対応する即時サービス能力を表す情報要素が、「真」にセットされた値を有するフラグの形態の表示を含みうることを意味する。このＣＤＩＶサービス能力に関連するサービスルール、条件、又はオプションは、変更可能としてユーザに提示されている。この場合、ユーザは、ビデオ通話が転送される相手を、
0005973054.tif 000014
から
0005973054.tif 000015
に変更することを選択することができ、この結果サービスルールのターゲットが
0005973054.tif 000016
に変更される。ユーザ規定サービス情報には、ビデオ通話を転送するための変更されたＣＤＩＶサービスルールを表すデータ、或いはＣＤＩＶサービスルールの変更された部分又は変更されたオプションに行われた変更のみを表すデータが含まれる。ユーザ規定サービス情報は、サービスルール、動作、条件、及び／又はサービス能力を表すために使用されるＸＭＬフォーマット又はスキーマに基づいている。
【００５７】
ステップ２０６では、ＵＥ又はウェブポータルを提供するウェブサーバ２０１は、ユーザ規定サービスルール情報を含む一又は複数のＰＵＴリクエストメッセージ（例えば、ＸＣＡＰ  ＰＵＴ（ＣＤＩＶルール））をＩＭＳネットワークに送信する。ユーザ規定サービスルール情報は解釈され、ＩＭＳネットワーク内のユーザのサブスクリプションのルールセット及び／又は関連サービスルールの変更に使用されることができる。ＸＣＡＰ  ＰＵＴリクエストメッセージは、すべての必要なユーザ規定サービスルール情報を含むことができ、複数のＸＣＡＰ  ＰＵＴリクエストメッセージを、ユーザがリクエストする変更をリレーするために使用することができる。ユーザ規定サービスルール情報には、一又は複数のユーザ規定サービスルール又は新規サービスルール、現在のサービスルールへの変更が含まれる。ユーザ規定サービスルール情報はさらに、ユーザが変更したいと思うユーザに関連付けられたサービスルール又はサービス能力に関連するユーザ規定情報要素を含むことができ、これは、対応するサービスルールを変更するときにＩＭＳネットワークによって解釈される。
【００５８】
ＸＤＭＳ２０２側でＰＵＴリクエストメッセージを受信すると、ＸＤＭＳは、ステップ２０７において、ユーザ規定サービスルール情報（例えば、ユーザが規定したサービスルール、新規サービスルール、関連サービスルールに対する変更など）を、ユーザ規定サービスルール情報によって規定されたサービスルールに対する変更又は追加が許可されているか否かを確認することにより処理する。ステップ２０８では、ユーザ規定サービスルール情報が、許可可能な変更を規定している（例えば、ユーザ規定サービスルール、新規サービスルール、サービスルール又はサービス能力への変更が許可されている）場合、ＸＤＭＳ２０２は、ユーザに関連付けられたサブスクリプション中の対応するサービスルールを更新する、及び／又はユーザに関連付けられたサブスクリプション中に対応するサービスルールを挿入する。これは、ＨＳＳにおいて、対応するＸＭＬ文書又はその断片を適宜更新することにより実行される。例えば、ユーザに関連付けられたサービスルールに変更を行ったことは、ユーザを代理するＨＳＳに格納されたＸＭＬ文書又はその断片に反映される。ＸＤＭＳ２０２は、ＵＥ又はウェブポータルを提供するウェブサーバ２０１に対し、サービスルール又はリクエストされた変更が受諾可能であることを示す肯定応答メッセージ（例えば、２００  ＯＫ）を送信する。
【００５９】
しかしながら、ステップ２０８において、ＸＤＭＳ２０２は、ユーザ規定サービスルール情報が有効か否かをチェックする。ステップ２０８では、ユーザ規定サービスルール情報の一部が許可可能である（ユーザ規定サービスルールの一部が表す変更に関連付けられたサービスルールが有効且つ許可可能である）場合、ＸＤＭＳ２０２は、ユーザに関連付けられたサブスクリプション中の対応する許可可能なサービスルールを更新する、及び／又はユーザに関連付けられたサブスクリプション中に対応するサービスルールを挿入する。これは、ＨＳＳを適宜更新することによって実行される。例えば、ユーザに関連付けられた許可可能なサービスルールに変更を行ったことは、ユーザを代理するＨＳＳに格納されたＸＭＬ文書又はその断片に反映される。ＸＤＭＳ２０２は、ＵＥ又はウェブポータルを提供するウェブサーバ２０１に対し、ユーザ規定サービスルール情報の一部分、又は許可可能なサービスルール、又はリクエストされた変更が受諾可能であることを示す肯定応答メッセージ（例えば、２００  ＯＫ）を送信することができる。
【００６０】
ステップ２０８ｂでは、ユーザ規定サービスルール情報の少なくとも一部（例えば、リクエストされたサービスルールの変更の全部又は一部）が、ユーザに関連付けられたサブスクリプションに基づいて変更不能又は無効である場合、ＸＤＭＳ２０２は、ＵＥ又はウェブポータルを提供するウェブサーバ２０１に対し、対応するサービスルールに対してリクエストされた変更が許可されないことを示す否定応答メッセージ（例えば、４０９  コンフリクト）を送信する。ユーザが、変更が許可されていない無条件及び／又は即時サービスルールを変更しようとすると、無条件及び／又は即時サービスルールに対する変更が試みられたが許可されなかったことを示すこの否定応答メッセージがユーザに提示される。このような追加チェックにより、無条件及び／又は即時サービス能力といった追加サービス能力を解釈できないレガシーシステムであるあらゆるＵＥ又はウェブポータルを提供するウェブサーバ２０１を捕える。
【００６１】
例として、否定応答メッセージは、４０９  コンフリクトメッセージであり、これは以下の形態をとることができる。
0005973054.tif 000017
可変＜ｃｏｎｄｉｔｉｏｎ＞  は、ユーザによって使用が許可されない実際の条件を包含し、これには、無条件及び／又は即時に加えて現在のＭＴＡＳ  ４０９コンフリクト応答の条件のリストに含まれる条件のいずれかが含まれうる。
【００６２】
図３は、対応するサービスルールが変更可能か否かを示す受信された情報要素に関連付けられたサービスルールの識別及び変更のための、本発明によるプロセスの一例を示すフロー図である。この例では、プロセスは、ユーザに関連付けられたユーザ変更可能なＩＰマルチメディアサブシステムのサービスルールを制御するためのシステムを提供する。サービスルールは、ＸＭＬ文書内部において情報要素によって表されるサービス能力、条件、又は動作を用いて規定され、ＩＭＳネットワーク内部（例えばＨＳＳ（図示しない））に維持される。実行されるステップは以下の通りである。
【００６３】
Ａ１．    ＵＥ又はウェブポータルを提供するウェブサーバは、サービス（例えば、ＣＤＩＶサービス、又はＣＢサービスなど）のために、ＩＭＳネットワーク内のＸＤＭＳ内のユーザに関連付けられたサービス能力を、リクエストする又は取ってくる。サービス能力は、ＸＭＬ文書又はその断片内の情報要素として表され、ＩＭＳネットワークのＵｔインターフェースを通じてＸＤＭＳサーバからリクエストされる。情報要素は、対応するサービスルールへの変更が許可される及び／又は許可されないかどうかの条件を示すことができる。
【００６４】
Ａ２．    ＵＥ又はウェブポータルを提供するウェブサーバは、ＸＤＭＳからサービス能力を受信する。この情報は、ＨＳＳからＸＤＭＳによって受信されるＸＭＬ文書又はその断片の形態をとることができ、Ｕｔインターフェースを通じてＵＥ又はウェブポータルを提供するウェブサーバに送信される。ＸＭＬ文書又はその断片は、対応するサービスルールがユーザによって変更可能であるかどうかを識別する一又は複数の情報要素を含み、この場合、情報要素の少なくとも一つ（例えば、サービス能力、動作、又は条件）は無条件及び／又は即時ベースサービスルールの少なくとも一つに対応する。例えば、ＸＭＬ文書又はその断片は、一又は複数のサービスのサービス能力に対応する複数の情報要素を含み、この場合、情報要素の一又は複数は無条件ベースサービスルールに対応しうる、並びに／或いは情報要素の一又は複数は即時ベースサービスルールに対応しうる。
【００６５】
Ａ３．    ＵＥ又はウェブポータルを提供するウェブサーバは受信した能力を提供する。この能力には、情報要素を解釈すること、及びユーザに対し、対応するサービスルールが変更可能であるかどうかに関連する表示を提示することが含まれる。ＵＥ又はウェブポータルを提供するウェブサーバは、ユーザが使用及び／又は変更を許可されているオプション又はサービスルールを提示することができ、この場合許可されていないオプション又はサービスルールは、例えば、全く示されない、グレー表示される、又は選択不能である。ＵＥは、変更可能なオプション又はサービスルールを解釈及び表示するためのグラフィックユーザインターフェースを含むことができる。
【００６６】
Ａ４．    ユーザは、オプションの選択、及び／又は新規サービスルールの作成、又は既存のサービスルール（例えばＣＤＩＶルール）の更新を行う。これには、ユーザが変更したいと思うサービスルール及び／又はオプションに関連付けられた、ユーザが規定したサービスルール情報を受信するＵＥ又はウェブポータルを提供するウェブサーバが含まれる。ユーザ規定サービスルール情報には、一又は複数の新規サービスルール、対応するサービスルールを変更するために使用可能な一又は複数のユーザ規定情報要素、並びに／或いは対応するサービスルールを変更するために使用可能なオプションが含まれる。一選択肢として、ユーザ規定サービスルール情報を、ＵＥ又はウェブポータルを提供するウェブサーバが確認して、関連サービスルールに対する許可可能な変更に対応しているかどうかを決定してもよい。
【００６７】
Ａ５．    ＵＥ又はウェブポータルを提供するウェブサーバは、ユーザ規定サービスルール情報（例えば、ＣＤＩＶルール）をＵｔインターフェースを通じてＸＤＭＳに送り、ＩＭＳネットワークはそれを使用し、ＨＳＳのＸＭＬ文書中に規定されうる、ユーザ規定サービスルール情報に基づいて一又は複数のサービスルールを更新又は挿入する。
【００６８】
Ａ６．     ＸＤＭＳは、ユーザ規定サービスルール情報（例えば、ＣＤＩＶ又はＣＢルールなど）に関連付けられたサービスルールを確認する。ユーザ規定サービスルール情報は、ユーザに関連付けられたサブスクリプション中に規定される対応するサービスルールへの変更を示す。次いでＸＤＭＳは、このような変更を確認し、サービスルールへの変更又は提案された変更が許可可能か否かを決定する。
【００６９】
Ａ７．     ユーザ規定サービスルール情報に対応するサービスルールが有効で、その変更が許可される場合、プロセスはＡ８に進む。しかしながら、サービスルールが有効でなく、変更が許可されていない場合、プロセスはステップＡ１０に進む。
【００７０】
Ａ８．    ＸＤＭＳは、ＵＥ又はウェブポータルを提供するウェブサーバに対し、更新又は新規サービスルールが有効であり、対応するサービスルールの組に更新又は追加があったことを肯定応答する通知メッセージ（例えば、２００  ＯＫメッセージ）を送信する。
【００７１】
Ａ９．    ＵＥ又はウェブポータルを提供するウェブサーバは、通知メッセージ（例えば、２００  ＯＫメッセージ）を受信し、次いでＵＥ又はウェブポータルを提供するウェブサーバは、それに応じてメッセージをユーザに通知又は提示する。
【００７２】
Ａ１０．  ＸＤＭＳは、サービスルールの少なくとも一部が無効であるか、又は変更が許可されないことを示す否定応答メッセージ（例えば、４０９  コンフリクトメッセージ）を、ＵＥ又はウェブポータルを提供するウェブサーバに送信する。これには、ユーザに対し、ユーザ規定サービスルール情報の少なくとも一部を変更不能なサービスルール（変更不能な無条件ベース又は変更不能な即時ベースのサービスルール）に関連付けることができ、変更は許可されないことを通知することが含まれる。
【００７３】
Ａ１１．  ＵＥ又はウェブポータルを提供するウェブサーバは、否定応答メッセージ（例えば、４０９  コンフリクトメッセージ）を受信し、それに応じてこのメッセージをユーザに通知又は提示する。
【００７４】
図４は、本明細書に記載の方法及び／又はプロセスを実施するように適合又は設定されたＸＤＭＳ１としてＩＭＳネットワーク内部で動作するように設定された装置の一実施例の概略図である。ＸＤＭＳ１は、コンピュータハードウェアとソフトウェアとの組み合わせとして実施される。ＸＤＭＳ１は、処理ユニット２、メモリユニット３、受信機４、及び送信機５を含み、処理ユニット２はメモリユニット３、受信機４、及び送信機５に結合されている。受信機４は、Ｕｔインターフェースを通じてＵＥ又はウェブポータルを提供するウェブサーバから送信されたメッセージを受信するように設定されている。送信機５は、Ｕｔインターフェースを通じてＵＥにメッセージを送信するように設定されている。受信機４及び送信機５はさらに、ＸＭＬ文書又はその断片を取り出し、ＸＭＬ文書及びその断片をＳｈインターフェースを通じてＨＳＳに格納するように設定されている。
【００７５】
メモリユニット３は、ユーザ規定サービスルール情報をＸＭＬ文書又はその断片に翻訳するルール設定ユニット７と、ユーザ規定サービスルール情報に関連付けられたサービスルールの確認及びユーザに対する通知の送信に使用されるルール確認ユニット８とを含む。処理ユニット２は、ＨＳＳに格納されているユーザに関連付けられたサービスルールと、ＵＥ又はウェブポータルを提供するウェブサーバによって要求されるか、或いはＵＥ又はウェブポータルを提供するウェブサーバから受信された、ユーザ規定サービスルール情報の形態のサービスルールとが相違しているかどうかを決定するように設定される。これらが相違している場合、ユーザは、ユーザのサービスルールに対し、変更の実施を要求する。処理ユニット２は、ＨＳＳ内でユーザに関連付けられた、許可される対応のサービスルールを更新する前に、新規又は変更済みサ−ビスルールを確認する。処理ユニット２は、ＵＥ又はウェブポータルを提供するウェブサーバを介して、ユーザ規定サービスルール情報の少なくとも一部に対応する任意のサービスルールが許可されないかどうかを、ユーザに通知するように設定される。
【００７６】
ＸＤＭＳ１は、ユーザに関連付けられたサブスクリプションのためのＩＭＳサービスルールを規定するＸＭＬ文書と、対応するサービスルールがユーザによって変更可能かどうかを識別する一又は複数の情報要素を含むＸＭＬ文書又はその断片との管理に使用されるように構成されている。情報要素の一又は複数は、一又は複数の無条件ベースサービスルール、並びに／或いは一又は複数の即時ベースサービスルールに対応する。ＸＤＭＳ１はさらに、ユーザ規定サービスルール情報に基づいて、文書内部に包含されるサービスルールの変更に対するユーザリクエストを受け入れる又は拒否するように構成されている。
【００７７】
動作時、受信機４は、ＩＭＳネットワークのＵｔインターフェースを通じて、ユーザに関連付けられたサービスルールに対するリクエストを受け取る。このリクエストは、ＵＥ又はユーザを代理するウェブポータルを提供するウェブサーバから受け取られる。ｈインターフェースを通じてＨＳＳからＸＭＬ文書又はその断片を受信した後、送信機５は、Ｕｔインターフェースを通じて、対応するサービスルールがユーザによって変更可能かどうかを識別する一又は複数の情報要素を含むＸＭＬ文書又はその断片を送信する。情報要素の一又は複数は、一又は複数の無条件ベースサービスルール、並びに／或いは一又は複数の即時ベースサービスルールに対応する。
【００７８】
受信機４は、ＸＭＬ文書又はその断片の送信に応答して、新規サービスルール又は変更されるサービスルールに関連付けられた、ユーザ規定サービスルール情報を受信する。ユーザ規定サービスルール情報は、ユーザに関連付けられた対応するサービスルールに対する変更を表すデータを含む。処理ユニット２は、ユーザ規定サービスルール情報を確認し、関連付けられたサービスルールへの許可可能な変更を決定する。処理ユニット２は、ＨＳＳにおいてＸＭＬ文書を更新し、許可可能なユーザ規定サービスルール情報に基づいてサービスルールへの変更を反映させる。加えて、送信機５は、変更不能な無条件ベースサービスルール又は即時ベースサービスルールの少なくとも１つに関連付けられた、ユーザ規定サービスルール情報の少なくとも一部が許可されないことを示す通知を、ユーザに送信するように設定することができる。
【００７９】
図５は、本明細書に記載の方法及び／又はプロセスを実施するように適合又は設定されたＵＥ１０として動作する装置の一実施例の概略図である。ＵＥ１０は、コンピュータハードウェアとソフトウェアとの組み合わせとして実施される。ＵＥ１０は、ユーザ入力装置１１、処理ユニット１２、メモリユニット１３、受信機１４、及び送信機１５を含み、処理ユニット１２は、ユーザ入力装置１１、メモリユニット１３、受信機１４、及び送信機１５に結合されている。ユーザ入力装置１１は、ユーザからユーザ入力を受信するように設定され、キーパッド、タッチスクリーン、又はユーザ入力を受け取るための他のいずれかの装置を含みうる。受信機１４は、Ｕｔインターフェースを通じてＸＤＭＳ１から、又はウェブポータルを提供するウェブサーバ２０から送られるメッセージを受信するように設定される。送信機１５は、Ｕｔインターフェースを通じてＵＤＭＳ１へ、又はウェブポータルを提供するウェブサーバ２０へ、メッセージを送るように設定される。
【００８０】
メモリユニット１３は、サービスルールの変更に関連するユーザ入力を、ユーザ規定サービスルール情報へと翻訳するルール設定ユニット１７と、ユーザ入力を翻訳し、関連する入力をルール設定ユニット１７に送るユーザ入力ユニット１６とを含む。ＵＥ１０は、ユーザ規定サービスルール情報に関連付けられたサービスルールの確認と、それに応じたユーザへの通知送信とに使用されるルール確認ユニット（図示しない）も含む。処理ユニット１２は、ＸＤＭＳ１又はウェブポータルを提供するウェブサーバ２０から受信されたＸＭＬ文書又はその断片に含まれる情報要素を解釈し、対応するサービスルールが変更可能かどうかに関連する表示をユーザに提示するように設定されている。処理ユニット１２はさらに、ユーザ規定サービスルール情報の生成に使用されるユーザ入力を受け取るように設定される。このユーザ規定サービスルール情報は、ユーザに関連付けられたサブスクリプションのサービスルールへの変更又は追加を示すデータを表す。処理ユニット１２は、ＵＥ又はウェブポータルを提供するウェブサーバを介して、ユーザ規定サービスルール情報の少なくとも一部に対応する任意のサービスルールが許可されないかどうかをユーザに通知するようにも設定される。
【００８１】
動作時、ＵＥ１０は、ユーザに関連付けられたサブスクリプションのユーザ変更可能なＩＭＳサービスルールを制御するように設定される。サービスルールはＸＭＬ文書内部において規定されて、ＩＭＳネットワーク内部に維持される。送信機１５は、ＩＭＳネットワークのＵｔインターフェースを通じてＸＤＭＳ１に対し、又はＩＭＳネットワークにアクセスするウェブポータルを提供するウェブサーバ２０に対し、ユーザに関連付けられたサービスルールをリクエストするように設定される。受信機１４は、Ｕｔインターフェースを通じて、対応するサービスルールがユーザによって変更可能かどうかを識別する一又は複数の情報要素を含むＸＭＬ文書又はその断片を受信するように設定される。情報要素の一又は複数は、一又は複数の無条件ベースサービスルール、並びに／或いは一又は複数の即時ベースサービスルールに対応する。処理ユニット１２は、情報要素を解釈し、対応するサービスルールが変更可能かどうかに関連する表示を（ディスプレイ又はグラフィックユーザインターフェース（図示しない）を介して）ユーザに提示するように設定される。ユーザ入力装置１１は、サービスルールの変更及び／又は新規サービスルールの挿入に関連付けられたユーザ入力を受信し、処理ユニット１２及び／又はメモリユニット１３は、ユーザ入力に基づいてユーザ規定サービスルール情報を生成する。ユーザ規定サービスルール情報は、ユーザに関連付けられたサービスルールへの変更又は追加（又はその削除）を示すデータを表す。送信機１５は、Ｕｔインターフェースを通じてＸＤＭＳ１に、（又はウェブポータルを提供するウェブサーバ２０に、）ユーザ規定サービスルール情報を送信するように設定され、この情報は、ＩＭＳネットワークにより、ユーザに関連付けられたサービスルールの更新に使用される。
【００８２】
加えて、処理ユニット１２はさらに、ユーザ規定サービスルール情報を確認し、関連付けられたサービスルールへの許可可能な変更を決定するように設定される。送信機１５はさらに、Ｕｔインターフェースを通じて、ユーザ規定サービスルール情報の許可可能な部分をＸＤＭＳ１に送信するように設定され、この情報は、ＩＭＳネットワークにより、ユーザに関連付けられたサービスルールの更新に使用される。加えて、受信機１４は、ＸＤＭＳ１から、又はウェブポータルを提供するウェブサーバ２０から、変更不能な無条件ベースサービスルール又は即時ベースサービスルール（或いは他のいずれかのサービスルール）のうちの少なくとも一つに関連付けられた、ユーザ規定サービスルール情報の少なくとも一部が許可されないことを、ユーザに示す通知を受信するように設定することができる。
【００８３】
図６は、本明細書に記載の方法及び／又はプロセスを実施するように適合又は設定されたウェブポータルを提供するウェブサーバ２０として動作する装置の一実施例の概略図である。ウェブポータルを提供するウェブサーバ２０は、コンピュータハードウェアとソフトウェアとの組み合わせとして実施される。ウェブポータルを提供するウェブサーバ２０は、処理ユニット２２、メモリユニット２３、受信機２４、及び送信機２５を含み、処理ユニット２２はメモリユニット２３、受信機２４、及び送信機２５に結合されている。受信機２４は、ユーザのＵＥ（例えば、ＵＥ１０）から送られたメッセージを受信する、又はＵｔインターフェースを通じてＸＤＭＳ１からメッセージを受信するように設定されている。送信機２５は、ユーザのＵＥにメッセージを送る、又はＵｔインターフェースを通じてＸＤＭＳ１にメッセージを送るように設定されている。メモリユニット２３は、サービスルールの変更に関連するユーザからのユーザ入力をユーザ規定サービスルール情報に翻訳するルール設定ユニット２７と、ユーザ規定サービスルール情報に関連付けられたサービスルールの確認及びそれに応じたユーザに対する通知の送信に使用されるウェブポータルを提供するウェブサーバルール確認ユニット２６とを含む。
【００８４】
処理ユニット２２は、ＸＤＭＳ１から受信されたＸＭＬ文書又はその断片に含まれる情報要素を解釈し、対応するサービスルールが変更可能かどうかに関連する表示をユーザ又はユーザのＵＥに提示するように設定されている。処理ユニット２２はさらに、ユーザから、ユーザ規定サービスルール情報の生成に使用されるユーザ入力を受け取るように設定される。このユーザ規定サービスルール情報は、ユーザに関連付けられたサブスクリプションのサービスルールへの変更又は追加を示すデータを表す。処理ユニット２２はさらに、ＵＥ１０からユーザ規定サービスルール情報を受け取るように設定される。処理ユニット２２は、ユーザに関連付けられたサービスルールの更新に使用されるユーザ規定サービスルール情報を表すデータを、Ｕｔインターフェースを介してＸＤＭＳ１に送信する前に、新規サービスルール情報又は変更されたサービスルール情報を確認することができる。処理ユニット２２は、ユーザ規定サービスルール情報の少なくとも一部に対応する任意のサービスルールが許可されないかどうかをユーザに通知するようにも設定される。
【００８５】
動作時、ウェブポータルを提供するウェブサーバ２０は、ユーザに関連付けられたユーザ変更可能なＩＭＳサービスルールを制御するように設定される。サービスルールはＸＭＬ文書内部において規定されて、ＩＭＳネットワーク内部に維持される。送信機２５は、ＩＭＳネットワークのＵｔインターフェースを通じて、ユーザに関連付けられたサブスクリプションのサービスルールをＸＤＭＳ１に対してリクエストするように設定される。受信機２４は、Ｕｔインターフェースを通じて、対応するサービスルールがユーザによって変更可能かどうかを識別する一又は複数の情報要素を含むＸＭＬ文書又はその断片を受信するように設定される。情報要素の一又は複数は、一又は複数の無条件ベースサービスルール、並びに／或いは一又は複数の即時ベースサービスルールに対応する。処理ユニット２２は、情報要素を解釈し、対応するサービスルールが変更可能かどうかに関連する表示を（ユーザのＵＥ、ディスプレイ又はグラフィックユーザインターフェース（図示しない）を介して）ユーザに提示するように設定される。受信機２４又は処理ユニット２２は、サービスルールの変更及び／又は新規サービスルールの挿入に関連付けられたユーザ入力を受信し、このような入力に基づいて、処理ユニット２２及びメモリユニット２３は、ユーザ入力に基づくユーザ規定サービスルール情報を生成する。ユーザ規定サービスルール情報は、ユーザに関連付けられたサービスルールへの変更又は追加（又はその削除）を示すデータを表す。代替的に、又は追加的に、受信機２４は、ユーザのＵＥから、ユーザ規定サービスルール情報を受信する。送信機２５は、Ｕｔインターフェースを通じてＸＤＭＳ１に、（又はウェブポータルを提供するウェブサーバ２０に、）ユーザ規定サービスルール情報を表すデータを送信するように設定され、この情報は、ＩＭＳネットワークにより、ユーザに関連付けられたサービスルールの更新に使用される。
【００８６】
加えて、処理ユニット２２はさらに、ユーザ規定サービスルール情報を確認し、関連付けられたサービスルールへの許可可能な変更を決定するように設定される。送信機２５はさらに、ユーザ規定サービスルール情報の許可可能な部分を表すデータを、Ｕｔインターフェース上でＸＤＭＳ１に送信するように設定され、この情報は、ＩＭＳネットワークにより、ユーザに関連付けられたサービスルールの更新に使用される。加えて、受信機２４は、ＸＤＭＳ１から、変更不能な無条件ベースサービスルール又は即時ベースサービスルール（或いは他のいずれかのサービスルール）のうちの少なくとも一つに関連付けられた、ユーザ規定サービスルール情報の少なくとも一部が許可されないことをユーザに示す通知を受信するように設定することができる。送信機２５は、ユーザのＵＥを介してユーザに通知を転送するように設定することができる。
【００８７】
当業者であれば、本発明の範囲から逸脱せずに、上述の実施例及び／又は実施形態に種々の修正を加えることが可能であると理解するであろう。
【図１】
0005973054.tif 000018
【図２】
0005973054.tif 000019
【図３】
0005973054.tif 000020
【図４】
0005973054.tif 000021
【図５】
0005973054.tif 000022
【図６】
0005973054.tif 000023